(57)【要約】【課題】  同じ形状のパッケージを大小異径のディスクの収納に共用する。【解決手段】  ディスクボックス１と、下カバー２と、上カバー３との組合せを有している。ディスクボックス１は、上下面および両端面に開口を有する角筒であり、２種類以上のディスク保持溝１５ａ，１５ｂを有している。ディスク保持溝は、円形のディスクを一定の姿勢に保持するものであり、ディスクボックスの両側面部に列状に形成され、２種類以上のディスク保持溝１５ａ，１５ｂは、相対的に大径のディスクＤ１と相対的に小径のディスクＤ２を受け入れるものである。下カバー２は、ディスクボックス１の下面開口を塞ぐものであり、上カバー３は、ディスクボックスの上面および両端面開口を覆うものである。【選択図】  図５
2006182451.tif 000002
【特許請求の範囲】
【請求項１】
少なくとも上下面が開閉可能なディスクボックスを有するディスク収納用パッケージであって、
ディスクボックスは、大きさが異なる２種類またはそれ以上のディスクを選択的に収納する２種類以上のディスク保持溝を有することを特徴とするディスク収納用パッケージ。
【請求項２】
少なくともディスクボックスと上カバーとの組合せを有するディスク収納用パッケージであって、
ディスクボックスは、内部に収容されたディスクの直径の大小に関係なく、ディスクを同じ高さ位置に受入れるものであり、
上カバーは、ディスクボックスを施蓋するものであり、刻み目を有し、
刻み目は、ディスクボックス内のディスクの直径の大小に係らず、その一部を受け入れるものであり、
ディスクボックス内に収容されたディスクは、その両側部分と、上縁部分とがディスク保持溝及び刻み目に支えられるものであることを特徴とする請求項１に記載のディスク収納用パッケージ。
【請求項３】
ディスクボックスと、下カバーと、上カバーとの組合せを有するディスク収納用パッケージであって、
ディスクボックスは、上下面および両端面に開口を有する角筒であり、２種類以上のディスク保持溝を有し、
ディスク保持溝は、円形のディスクを一定の姿勢に保持するものであり、ディスクボックスの両側面部に列状に形成され、２種類以上のディスク保持溝は、相対的に大径のディスクと相対的に小径のディスクを受け入れるものであり、
下カバーは、ディスクボックスの下面開口を塞ぐものであり、
上カバーは、ディスクボックスの上面および両端面開口を覆うものであることを特徴とするディスク収納用パッケージ。
【請求項４】
第１のディスク保持溝に保持された大径のディスクの上縁の高さと、第２のディスク保持溝に保持された小径のディスクの上縁の高さとが合致するように第１のディスク保持溝の形成位置と、第２のディスク保持溝の形成位置とは上下にずれていることを特徴とする請求項３に記載のディスク収納用パッケージ。
【発明の詳細な説明】
【技術分野】
【０００１】
本発明は、情報記憶用媒体、特に中央に孔を有する円盤状（ドーナツ状）のディスクの収納用パッケージに関する。
【背景技術】
【０００２】
例えば、コンピュータの外部記憶装置として使用される磁気ディスク、ＣＤのような記憶ディスクは、その表面に極めて高い平面性と、清浄性とが要求され、また、製造工程中においては、表面に触れることが絶対に許されない。
【０００３】
記憶ディスクは、パッケージ内に収容した状態で工程間の運搬，保管さらに工程内での洗浄処理が行われる。上記記憶ディスク収納用パッケージは、多数のディスクを垂直姿勢で収納するディスクボックスと、その上面開口を覆う上カバーと、底面開口を覆う及び下カバーの組合せが用いられ、記憶ディスクを収容したディスクボックスに上カバーと下カバーとを結合して複数枚の記憶ディスクを安全且つ非汚染状態に保持させるが、予期しない事態の影響を受けてボックス内の記憶ディスクに塵や埃が付着することがあるとして上カバーとディスクボックスとの結合に関しても空気中に含まれる微細なごみを伴って周囲の空気がディスクボックスに吸い込まれないような配慮がなされる。
【０００４】
ところで、コンピュータの外部記憶装置として使用されるＣＤのような従来の記憶ディスクは、従来直径が１２ｃｍの大きさのものが主流であったが、これが次第に小型化され、また、携帯可能な音楽プレーヤなどに内蔵されるディスク（ハードディスク）は、最近では直径が２７．４ｍｍ、２１．６ｍｍのような小型のものが用いられるようになっている。
【０００５】
ところで、記憶ディスクの大きさが違えば、当然、その大きさに適合する形状のパッケージが必要になる。パッケージの上カバー，ディスクボックス及び下カバーは合成樹脂成形品であり、収納すべき記憶ディスクの大きさごとに専用のパッケージを製造しなければならないことになると、パッケージを成形加工するための金型が必要であることから、記憶ディスクの大きさごとに専用の成形用金型を準備しなければならない。その結果、パッケージのコストは、成形用金型の制作費を含めた額にて算定しなければならなくなり、当然パッケージの価格は、高額となり、ひいては記憶ディスクのコスト高を招くことになる。この問題は、ハードディスクなどの記憶ディスクを収納するパッケージに固有の問題ではなく、慎重な取扱いが必要とされるディスク一般の問題でもある。したがって、発明においては、一般的なディスクを収容するパッケージについて説明する。
【特許文献１】特公平５−５５３９５号公報
【特許文献２】特開２０００−１６４７６号公報
【発明の開示】
【発明が解決しようとする課題】
【０００６】
解決しようとする問題点は、収納すべきディスクの大きさに合わせてパッケージを準備することになると、それぞれのディスクの大きさごとに専用の成形用金型が必要になるという点である。
【課題を解決するための手段】
【０００７】
本発明は、１種類のパッケージの中に、大きさが異なる２種類またはそれ以上のディスクの収納を可能にしたことを最も主要な特徴とする。
【発明の効果】
【０００８】
本発明のパッケージは、収納すべきディスクの大きさが異なっても、パッケージの上カバー，ディスクボックス及び下カバーの組合わせの使い分けをする必要がなく、同じパッケージを大きさが異なる２種類またはそれ以上のディスクの収納に共用でき、したがって、収納すべきディスクの種類に応じて多種類の成形用金型を準備する必要がなく、さらには、ディスクの収納のために、多種類のパッケージを準備する必要がなく、ひいてはディスクのコスト高を抑えることができ、さらには、パッケージの大きさ、形状が統一されるため、工程間のディスクの輸送、さらには、各工程での洗浄処理などのためにパッケージをハンドリングするためのロボット操作を単純化できる効果がある。
【発明を実施するための最良の形態】
【０００９】
円盤状のディスクは、その両側縁の一部がディスクボックス内に支えられ、ディスクの上周縁の一部が上カバーに支えられる。ディスクボックスには、直径の異なるディスクを受け入れる２種類あるいはそれ以上のディスク保持溝が付されているが、上カバーには、１種類のディスク保持溝を設けることによって大小異径のディスクを安定に支えることができるパッケージを実現した。
【実施例１】
【００１０】
以下に本発明によるディスク用パッケージの一実施形態を図によって説明する。図１において、本発明のディスク用パッケージは、ディスクボックス１と、下カバー２と、上カバー３との組合せからなる合成樹脂成形品である。この点は特許文献１，２に記載のものと同じである。
【００１１】
図２において、ディスクボックス１は、円盤状（ドーナツ状）のディスクを収納する無底、無蓋の角形容器であり、実質的に長辺側の両側面部４と、短辺側の両端面部５とに囲まれ、両端面部５には挿込溝６が開口されている。
【００１２】
挿込溝６は、上縁が開放された切欠きであり、ディスクの自動処理工程において、取出手段としてのロボットアーム（図示略）を出し入れするための開口である。図３において、下カバー２は、ディスクボックス１の下面開口を塞ぐものであり、長方形の皿型をなし、両側及び両端縁にはディスクボックス１の下面開口縁を嵌合させる立上り縁７を有している。また、両端縁には、両側の立上り縁７間に図２（ｃ）に示す固定フック１１が形成されている。この固定フック１１は、両端面の正面に水平方向に張り出す突条である。固定フック１１は、後述するように、上カバー３の端面カバー８の下端に設けた可動フック１２を引っ掛けてディスクボックス１に、上カバー３及び下カバー２とを一体に結合させるためのものである。
【００１３】
図４において、上カバー３は、ディスクボックス１の上面開口を覆う蓋部１３とディスクボックス１の両端面の挿入溝６を覆う端面カバー８とを有している。蓋部１３は、ディスクボックス１の上面開口を塞ぐものであり、端面カバー８はその両端から直角に延びて蓋部１３と一体に形成されたものである。上カバー３は、その両側縁に、ディスクボックス１の両側面部４の上縁に嵌合させる立下り部９を有している。
【００１４】
端面カバー８は、ディスクボックス１の両端面部５，５の外面にあてがって、両端面部５，５に開口された挿込溝６を外から塞ぐものである。端面カバー８の板面には、挿込溝６の開口形状を象って内方に膨出する突出部１０が形成されている。
【００１５】
突出部１０は、ディスクボックス１を上カバー３で施蓋する際に、挿込溝６に落とし込まれ、挿込溝６に嵌合着座して挿込溝６の開口を閉じるとともに施蓋の方向を規定するガイドとして機能し、施蓋後は挿込溝６を密閉する。
【００１６】
上カバー３は、ディスクボックス１に脱着可能に結合されるのであるが、本発明において、端面カバー８の下縁には、前記固定フック１１に引掛ける可動フック１２を一体に設けている。可動フック１２は、端面カバー８の薄肉部に形成され、端面カバーの材質が有する弾性を利用して開拡或いは復帰させ、固定フック１１に係合、離脱させるものである。また、図４（ｄ）に示すように端面カバー８の一部には、可動フック１２の形成位置と並行に図４（ｆ）に示すように端面カバー８の一部に、板面を貫通する円弧状のスリット１７、あるいは図４（ｇ）のように端面カバー８の裏面側に一定深さに切欠いた円弧状の凹所１７ａを設ける。端面カバー８の一部にカバー８の表裏に貫通するスリット１７を設ければ、端面カバー８の弾力性が向上し、前記固定フック１１に可動フック１２を係合・離脱させやすくすることができる。もっともスリット１７は、必ずしも、貫通させる必要はなく、凹所１７ａであっても、前記固定フック１１に可動フック１２を係合・離脱させるために必要な柔軟性を端面カバー８に確保させることは可能であり、むしろ、端面カバー８の前面がふさがれることでディスクボックス１内へのゴミの侵入の虞がなくなり、さらには、端面カバー８の割れ、欠けの発生を減少させることができる。
【００１７】
本発明において、ディスクボックス１の両側面部４の内面には、図２のように２種類以上のディスク保持溝１５ａ、１５ｂが列状に形成されている。ディスク保持溝は、ディスクボックス１内に収容する複数のディスクを互いに接触することがないように一定の間隔を置いて直立姿勢に保持させる溝であり、その結果、ディスクを扱うロボットの誤動作を少なくすることができる。この実施例においては、図２（ｄ）、（ｅ）に示すように、大小異径のディスクの内、相対的に大径のディスクＤ１を保持させる第１のディスク保持溝１５ａと、相対的に小径のディスクＤ２を保持させる第２のディスク保持溝１５ｂとの２種類の保持溝をディスクボックス１の長さ方向に交互に設けた例を示している。
【００１８】
第１のディスク保持溝１５ａは、図５に示す大径のディスクＤ１の円周形状を象った円弧状の溝であり、第２のディスク保持溝１５ｂは、小径のディスクＤ２の円周形状を象った円弧状の溝である。
【００１９】
大径のディスクＤ１は、両側の第１のディスク保持溝１５ａに跨って保持され、小径のディスクＤ２は、両側の第２のディスク保持溝１５ｂに跨って保持されるが、本発明においては、第１のディスク保持溝１５ａに保持された大径のディスクＤ１の上縁の支持の高さと、第２のディスク保持溝１５ｂに保持された小径のディスクＤ２の上縁の支持高さとが合致するように第１のディスク保持溝１５ａの形成位置と、第２のディスク保持溝１５ｂの形成位置とを上下にずらせている。
【００２０】
なお、図５には、ディスクボックス１内に大径のディスクＤ１と、小径のディスクＤ２とを収納した状況を図示しているが、実際には大径の記憶ディスクＤ１又は小径のディスクＤ２が選択的に収納されるのであって、図示のように大小のディスクを区別なく同時に収納されることはない。２種類以上のディスク保持溝を設けた場合にも同じである。
【００２１】
上カバー３には、ディスク保持溝１５ａ，１５ｂに保持されたディスクＤ１及びＤ２の一部を支える刻み目１４が形成されている。ディスクボックス１内に収容された大小のディスクＤ１、Ｄ２は、その上縁の支持高さが同じであるため、図５のように直径の大小の区別なく、ディスクボックス１に収納されたディスＤ１、Ｄ２は、ディスクボックス１を施蓋する上カバー３の刻み目１４にも共通に受け入れられ、ディスクＤ１、Ｄ２は、その両側部分と、上縁部分とがディスク保持溝１５ａ又は１５ｂ及び刻み目１４に支えられて安定に保持され、端面カバー８の可動フック１２を下カバー２の固定フック１１に結合させることにより、ディスクボックス１と上下のカバー２，３が一体に結合される。
【００２２】
なお、図５中、１６は、ディスクボックス１に設けられた位置決め用の切欠きである。切欠き１６は、下カバー３を外したディスクボックス１をコンベアラインに沿って搬送するときに、コンベアの一部を嵌合させて搬送中の位置決めに用いられる。ディスクボックス１，下カバー２及び上カバー３は合成樹脂成形品のため、静電対策が必要である。このため、例えば、少なくともディスクボックス１の成形樹脂にステンレス繊維，Ｎｉ繊維，Ｃｕ繊維などの金属繊維、Ｎｉ，Ｃｕ又はＡｌをコーティングした炭素繊維のいずれか又は、その組合せを配合する。さらに成形樹脂には必要により、帯電防止剤あるいはカーボンブラックなどの導電化剤を配合することができる。また、該合成樹脂成形品の表面に、ポリピロールやポリアニリン，ポリチオフェン等の導電性ポリマー層を被覆させてもよい。
【００２３】
ディスクボックス１に下カバー２を取付けることによって、ディスクボックス１は有底の箱になり、複数枚のディスクＤ１、Ｄ１、・・・またはＤ２、Ｄ２、・・・は、ロボットアーム（図示略）に一括保持されたままディスクボックス１に搬入される。このとき、ロボットアームは、ディスクボックス１の挿込溝６内に上方から挿し込まれ、ディスクは、ロボットアームに支えられたまま、ディスクボックス１の上面開口より内部へ挿入され、それぞれディスク保持溝１５ａあるいは１５ｂに嵌合保持される。その後、デイスクをディスクボックス内に残してロボットアームは、挿込溝６を通して外部へ引き抜かれる。
【００２４】
ディスクＤ１（又はＤ２）を収容したディスクボックス１を上カバー３で施蓋するときには、上カバー３の両端面カバー８の突出部１０をディスクボックス１の挿込溝６間に落し込み、ディスクボックス１の上面開口を上カバー３で施蓋するとともに両挿込溝６を端面カバー８で塞ぎ、そのまま上カバー３を圧下する。この操作によって、可動フック１２が端面カバー８の弾性に抗して固定フック１１に押し上げられ、ついで固定フック１１を乗り越えて可動フック１２が固定フック１１に係止され、この結果、ディスクボックス１に組付けられた下カバー２には、さらに上カバー３が一体的に結合され、ディスクボックス１は、密閉される。
【００２５】
本発明において、相対的に大径のディスクＤ１を収納したパッケージも、相対的に小径のディスクＤ２を収納したパッケージも同じ形で同じ大きさであるため、ディスクを工程間に搬送する際、或いは工程内で洗浄処理などを行う場合に、ディスクの大小に係らず同じロボット操作で処理を行うことができる。
【産業上の利用可能性】
【００２６】
コンピュータの外部記憶装置として使用される磁気ディスク、ＣＤのような記憶媒体を収納するパッケージのほか、半導体製造工程での半導体ウエハ収納用パッケージその他高度に清浄状態を保持する必要があるディスク類の複数枚を整列させて収納するパッケージとして活用できる。
【図面の簡単な説明】
【００２７】
【図１】本発明の一実施例を示す一部断面側面図である。
【図２】（ａ）は、ディスクボックスの平面図、（ｂ）は（ａ）の中央縦断側面図、（ｃ）は（ａ）のＡ−Ａ線断面図、（ｄ）は（ｂ）のＢ部拡大図、（ｅ）は（ａ）のＣ部拡大図である。
【図３】（ａ）は下カバーの平面図、（ｂ）は（ａ）の中央縦断側面図、（ｃ）は（ｂ）のＥ−Ｅ線断面図である。
【図４】（ａ）は上カバーの平面図、（ｂ）は（ａ）の中央縦断側面図、（ｃ）は端面図、（ｄ）は（ｂ）のＦ部拡大図、（ｅ）は（ｂ）のＧ部拡大図、（ｆ）は（ｃ）のスリット部分を示すＪ−Ｊ線断面の拡大図、（ｇ）は（ｃ）のスリット部分に変えて凹所を設けた場合のＪ−Ｊ線に相当する部分の断面の拡大図である。
【図５】図１のＨ−Ｈ断面およびＩ−Ｉ断面を拡大して大小２種類のディスクの収納状態を示す図である。
【符号の説明】
【００２８】
１  ディスクボックス
２  下カバー
３  上カバー
４  側面部
５  端面部
６  挿込溝
７  立上り縁
８  端面カバー
９  立下り縁
１０  突出部
１１  固定フック
１２  可動フック
１３  蓋部
１４  刻み目
１５ａ，１５ｂ  ディスク保持溝
１６  切欠き
１７  スリット
１７ａ  凹所
Ｄ１，Ｄ２  ディスク
【図１】
2006182451.tif 000003
【図２】
2006182451.tif 000004
【図３】
2006182451.tif 000005
【図４】
2006182451.tif 000006
【図５】
2006182451.tif 000007